(57)【要約】      （修正有）【課題】支持脚の支持ユニットを各種異なる変化するよう折畳むことができ、各種異なる大きさの鍋を支持することに適し、並びに、異なる方式の煮炊き、或いは、焼き方を行え、同時に、携帯、或いは、収納に利便なミニガスコンロを提供する。【解決手段】周縁にバーナーの炎の輻射熱を鍋上に反射できる反射皿を固設するバーナー本体上に複数組の支持ユニットを枢設し、各支持ユニットには３個の枢着部を具備し、並びに、弾性素子の引っ張りを受け、且つ、放熱フィンを具備し、その第１枢着部をバーナー本体上に枢着させる第１折り脚と、その一端を第１折り脚の第２枢着部に枢着する第２折り脚と、第１折り脚の第３枢着部と第２折り脚上に設けた摺動溝の間に枢設する第３折り脚、及び、各第１折り脚の第３枢着部上に枢設する回動可能な延伸爪を含む。【選択図】図３
0003140998.tif 000002
【実用新案登録請求の範囲】
【請求項１】
バーナー本体と前記バーナー本体の周囲に枢設する複数組の支持ユニットを含む多機能の折畳み変化を具備するミニガスコンロであって、
その上に複数組の支持ユニットを枢設するバーナー本体、及び、３個の枢着部を具備し、第１枢着部をバーナー本体上に枢着させる第１折り脚と、その一端を第１折り脚の第２枢着部に枢着させ、且つ、その上に摺動溝を設けた第２折り脚と、その一端を第１折り脚の第３枢着部に枢着させ、並びに、他端を第２折り脚に設けた摺動溝内に摺動自在に固定させる第３折り脚とを含んだ各支持ユニットを含むこと特徴とする、多機能の折畳み変化を具備するミニガスコンロ。
【請求項２】
前記請求項１記載の多機能の折畳み変化を具備するミニガスコンロにおいて、前記各支持ユニットの第１折り脚上に放熱フィンを設けることを特徴とする、多機能の折畳み変化を具備するミニガスコンロ。
【請求項３】
前記請求項１記載の多機能の折畳み変化を具備するミニガスコンロにおいて、前記各支持ユニットの各第１折り脚が弾性素子により引っ張りを受けてバーナー本体に向って近づくことを特徴とする、多機能の折畳み変化を具備するミニガスコンロ。
【請求項４】
前記請求項１記載の多機能の折畳み変化を具備するミニガスコンロにおいて、前記バーナー本体の周縁部にバーナー炎の輻射熱を反射できる反射皿を固設することを特徴とする、多機能の折畳み変化を具備するミニガスコンロ。
【請求項５】
前記請求項１記載の多機能の折畳み変化を具備するミニガスコンロにおいて、前記各支持ユニットの第１折り脚の第３枢着部上に回動可能な延伸爪を枢設することを特徴とする、多機能の折畳み変化を具備するミニガスコンロ。
【考案の詳細な説明】
【技術分野】
【０００１】
本考案は、ミニガスコンロのバーナー本体上に多段式に折畳み変化できる支持ユニットを設けることで、前記支持ユニットが鍋を支持できる以外に、更に各種異なる大きさの鍋に使用でき、並びにバーナー本体を引き上げ或いは傾斜にさせることで、使用者に異なる方式の煮炊き或いは焼くことができることに関る。
【背景技術】
【０００２】
従来、我々が良く目にするミニガスコンロは、填充用カセットボンベを具備し、また前記カセットボンベの上部にバーナー本体を設けたミニコンロである。しかしながら、そのカセットボンベは繰り返してガスを充填する機能を具備するが、長時間使用の状況から言うと、随時ガスを補充できるよう、やはりガスカートリッジを準備しなければならず、同時に前記コンロの体積がやや大きく、収納上の不便性が生じ、且つ外出時に予備用ガスカートリッジも携帯する必要があり、逆に携帯性と収納的にも不便となっている。この他にも、これらミニコンロのカセットボンベ上に鍋を支持する五徳を設けるが、これら五徳を張り出した時の面積が大きくないため、比較的大きな鍋を使用することができず、同時に鍋がやや大きく、且つ被調理物が比較的多くなった時、鍋を支えられる面積が小さすぎるため、鍋が引っくり返り易くなる。
【０００３】
その他、バーナー本体の周囲に支持脚ユニットを設けるものもあり、ガスカートリッジのガスホースを経由してガスが供給され、且つ前記ガスカートリッジはバーナー本体と連結していない。ある支持脚ユニットを取り外すことができるが、携帯性或いは収納に役立たない。同時に支持脚ユニットが鍋を載置できる面積範囲は決して大きくなく、同様にやや大きな鍋に使用できない以外にも、同様にやや大きな鍋の使用及び内容の多い被調理物を調理する時、鍋の重心が不安定となり容易に引っくり返ってしまう。また、ガスカートリッジとミニコンロの両者は独立した用具であるため、一緒に連結することができず、各々分けて携帯しなければならないことで使用者に不便が生じてしまう。
【０００４】
更に、上述の各々のミニコンロで食べ物を焼く野外の炊事を行う時、焼き物をバーナーの炎の直上部に置かないと、食べ物に十分な熱源を得させて焼くことができない。しかし、焼いている時に焼き物が熱を受けて滲み出た油脂分或いは煮汁が直接バーナー本体に落下して、コンロが汚くなり、若しくはバーナー炎口が詰まることにより、燃焼炎の吹き飛び現象や吹き消え現象等が生じる、或いはきれいに掃除できなくなってしまう。
【０００５】
この他にも、上述の各タイプのミニコンロの五徳或いは支持脚ユニットは、いずれも鍋或いは鍋とバーナー本体の支持作用を提供することに限られ、携帯に便利で、機動性も高いことからアウトドアでの使用に適していることを除き、その他機能性の変化もないため、製品がほとんど付加価値を持たさない。
【考案の開示】
【考案が解決しようとする課題】
【０００６】
以上の点に鑑み、前述のミニコンロは各種大きさの鍋に適さず、物を焼くことによりコンロが汚れることを避ける、及び携帯性の不便等の問題を改善することをその課題とする。
【課題を解決するための手段】
【０００７】
本考案で用いる技術手法は、バーナー本体上に複数組の多段式折畳み変化できる支持ユニットを枢設する。各支持ユニットは主に３個の枢着部を具備し、その第１枢着部をバーナー本体上に枢着させる第１折り脚と、その一端を第１折り脚の第２枢着部上に枢着させる第２折り脚及びその一端を第１折り脚の第３枢着部上に枢着させる以外に、更に他端を第２折り脚上に設けた摺動溝内に摺動自在に固定させる第３折り脚を含む。
【０００８】
その他、上述の本考案の各第１折り脚上に放熱フィンを設ける。又、上述の本考案の各第１折り脚は、弾性素子により引っ張られてバーナー本体に向かって近づけさせる。
【０００９】
更に、上述の本考案のバーナー本体上の周縁に反射皿を設ける。
【００１０】
その次に、上述の本考案の各第１折り脚の第３枢着部上にも回動可能な延伸爪を枢設する。
【考案の効果】
【００１１】
これにより、上述の本考案のバーナー本体上に枢設した多段折畳み変化できる支持ユニットを通じて、各支持ユニットをバーナー本体側に寄せて折畳んだ時、ガスカートリッジをバーナー本体上に固定できるため使用者の携帯或いは収納に利便性がある以外に、前記支持ユニットを鍋の支持部材とすることもでき、且つ各支持ユニットを折り畳み或いは展開した時の面積の大きさの変化により、異なる大きさの鍋の使用に提供でき、且つ支持ユニットを利用してバーナー本体を引き上げ、若しくはバーナー本体を傾斜させることで、その他更に高さのある調理用具にも使用可能、或いは横焼き・加熱の機能を提供して、焼き物を焼いた時に滲み出た油脂分或いは煮汁を直接バーナー本体に落下させない。このようにすることでコンロの清潔性を維持できるだけでなく、更にバーナー本体の炎口が詰まらないよう保護することで、バーナー本体の使用寿命を延長させることができる。
【００１２】
その他、上述の本考案の各支持ユニットの第１折り脚上に設けた放熱フィンは、バーナー本体に接近した時の熱伝導を提供して、バーナー本体の加熱時に発生した高温を迅速に誘導して発散することで、バーナー本体の表面に過熱の現象を発生させないように保護し、使用における安全性を向上できる。
【００１３】
又、上述の本考案の各支持ユニットが弾性素子の引張作用を受け、各支持ユニットの折畳み変化の操作が更に容易となる以外に、且つ支持ユニットの各段階における折畳み変化した後の固定作用を提供する。
【００１４】
更に、上述の本考案のバーナー本体の周縁に設けた反射皿は、バーナーの炎の輻射熱の発散を防止でき、更にバーナーの炎の輻射熱を鍋に反射させることで、バーナーの炎の加熱効果を向上できる。
【００１５】
その次に、上述の本考案の支持ユニットの第１折り脚の第３枢着部に設けた延伸爪の自由端が回動してバーナー本体上に置いた時、調理器具の五徳とすることができる以外に、更に小さい鍋にも使用できる。
【考案を実施するための最良の形態】
【００１６】
図１、図２及び図３は、バーナー本体１の底部周囲に複数組の支持ユニット２を放射状に配置し、また前記バーナー本体１上に赤外線のセラミックバーナーヘッド１１を設けられ、且つバーナー本体１の一側にガスを引き込むことのできる噴出ノズル１２を設け、またバーナー本体１の上方周囲に凸縁部１３を設け、前記凸縁部１３上に遮熱板１４及び支持ユニット２に挿通できる開口を開設した反射皿１５を設け、その後遮熱板１４と反射皿１５を前記凸縁部１３上に定着させ、同時に反射皿１５の内周縁を通じてバーナーヘッド１１に対して圧迫・固定作用を施す。
【００１７】
その他、上述の各支持ユニット２は、主に第１折り脚２１、第２折り脚２２及び第３折り脚２３が相互に枢着して連結することからなり、第１折り脚２１が３個の枢着部２１１、２１２、２１３を具備し、且つ前記第１折り脚２１上に複数枚の放熱フィン２１４が設けられている。前述の第１折り脚２１の第１枢着部２１１がバーナー本体１の底部に固定することで、第１折り脚２１を自由に回動させることができる。更に隣接の第１枢着部２１１の第１折り脚２１の外側に収容溝２１５を設け、そしてリング状の弾性素子２７を設けて各第１折り脚２１上の収容溝２１５内に嵌め込むことで、各第１折り脚２１を一緒に固定する。更に、第１折り脚２１の外側に設けた第２枢着部２１２が第２折り脚２２の一端と枢接し、且つ第２折り脚２２の側面に摺動溝２２１を設けられ、そして第３折り脚２３の一端を第１折り脚２１の第３枢着部２１３上に枢着し、他端が第２折り脚２２の摺動溝２２１内に摺動自在に固定し、次に、また延伸爪２８の一端を第１折り脚の第３枢着部２１３に枢着することで、自由に回動させることができる。
【００１８】
そのため、図３に示すように、前記バーナー本体１上に枢設した各支持ユニット２の第１折り脚２１を外側へ折り出すと、これと隣接する内側辺が、弾性素子２７の引張力を通じて前記内側辺をバーナー本体１の側面に緊密に近接し、第２折り脚２２が外側へ開くことで第１折り脚２１と第３折り脚２３との支持固定を通じて、各支持ユニット２が外側へ展開して鍋を載置する最大面積範囲となることができるため、本考案のミニコンロでは更に大きな鍋を使用して調理できる。  逆に、図２に示すように、第２折り脚２２が内側に向って第１折り脚２１上に折り畳んだ時、第３折り脚２３も一緒に折り畳まれ、そして更に延伸爪２８を折り返すとその自由端が反射皿１５の内周縁に近接すると、鍋を載置する面積範囲を縮小、略小或いは更に小さい鍋にも使用できる。
【００１９】
その他、更に図４に示すように、支持ユニット２の第１折り脚２１を下方に向って内側へ開いて縦型とすると、前記バーナー本体１が上方に向かって引き上げられ、元来低い位置にあるバーナー炎を高い位置まで上昇させて、高い位置にある調理器具の使用に適する。更には図５に示すように、第２折り脚２２を開き、並びに第３折り脚２３と共に地面に支えることで、バーナー本体１を更に高い位置まで上げて調理作業ができる。
【００２０】
その他、図７に示すように、１本の支持ユニット２の第１折り脚２１を第２、３折り脚２２、２３と一緒に上方に向ってバーナー本体１そばに折って近づけ、また別の２本の支持ユニット２が下方に向って２折り立てると、バーナー本体１のバーナー炎の面が傾斜状態となり、若しくは図８で示すように２本の支持ユニット２の第１折り脚２１を第２、３折り脚２２、２３と一緒に上方に向ってバーナー本体１に近づけて折り、またもう１本の支持ユニット２を下方に向って折り立て、或いは図９に示すように更に前側の２本の支持ユニット２の第２、３折り脚２２、２３を外側へ開き、または図１０に示すように後側の支持ユニット２の第２、三折り脚２２、２３のみを外側へ開き、若しくは図１１に示すように３本の支持ユニット２の第２、３折り脚２２、２３を同時に外側へ開き、バーナー炎の面を異なる傾斜角度に変化させることで調整できるため、使用者が異なる角度のバーナーの炎で調理を行うことができる。特にコンロで焼き物を焼く時、横火の焙焼機能を提供でき、焼き物を焼く時に滲み出た油脂分或いは煮汁が直接バーナー本体に落下させることがない。このようにすることでコンロの清潔性を維持できるだけでなく、更にバーナー本体１の炎口が詰まらないよう保護することで、バーナー本体１の使用寿命を延長させることができる。
【００２１】
次に、バーナー本体１に設けた各支持ユニット２の第１折り脚２１について、その上に設けた放熱フィンは、バーナー本体１に近寄った時、加熱時に発生した高熱を更にスピーディーに伝導して外側へ発散させることができることで、バーナー本体１表面に過熱の現象が起きず、同時に使用上の安全性を向上できる。又、バーナー本体１の頂上部に設けた反射皿１５は、更にバーナー炎の輻射熱の発散を防止でき、バーナー炎の輻射熱を鍋上に反射させることで、更にバーナー炎の加熱効果を向上できる。
【００２２】
更に、図６に示すように、コンロを使用しない時、ガス缶３をバーナー本体上に置き、そして各支持ユニット２を上方に向って折り畳むことができる。各第１折り脚２１上に設けた凸係止部２１６を通じて、ガス缶３底部の外突起部に当接係止することで、ガス缶３をコンロ上に固定させることができ、このようにすることで折り畳んだ後のコンロの体積を大幅に減らすことができるだけなく、更にガスカートリッジと一緒に携帯或いは収納できる。
【産業上の利用可能性】
【００２３】
本考案では、多段折畳み変化する支持ユニットを提供し、各種異なる大きさの鍋を載置することができ、またバーナー本体を引き上げ或いは傾斜させることで、異なる方式の煮炊き或いは焼き方が行える。
【図面の簡単な説明】
【００２４】
【図１】本考案の上面図である。
【図２】本考案の側面図である。
【図３】本考案の支持ユニットを最大範囲に展開した時の見取図である。
【図４】本考案の支持ユニットがバーナー本体を引き上げた後の見取図である。
【図５】本考案のバーナー本体を更に高い位置に引き上げた後の見取図である。
【図６】本考案の支持ユニットを折り畳んだ後のガスカートリッジを固定する見取図である。
【図７】本考案の支持ユニットを変形させた状態の見取図である。
【図８】本考案の支持ユニットを変形させた状態の見取図である。
【図９】本考案の支持ユニットを変形させた状態の見取図である。
【図１０】本考案の支持ユニットを変形させた状態の見取図である。
【図１１】本考案の支持ユニットを変形させた状態の見取図である。
【符号の説明】
【００２５】
１…バーナー本体、
１１…バーナーヘッド、
１２…噴出ノズル、
１３…凸縁部、
１４…遮熱板、
１５…反射皿、
２…支持ユニット、
２１…第１折り脚、
２１１…第１枢着部、
２１２…第２枢着部、
２１３…第３枢着部、
２１４…放熱フィン、
２１５…収容溝、
２１６…凸係止部、
２２…第２折り脚、
２２１…摺動溝、
２３…第３折り脚、
２７…弾性素子、
２８…延伸爪、
３…ガス缶。
【図１】
0003140998.tif 000003
【図２】
0003140998.tif 000004
【図３】
0003140998.tif 000005
【図４】
0003140998.tif 000006
【図５】
0003140998.tif 000007
【図６】
0003140998.tif 000008
【図７】
0003140998.tif 000009
【図８】
0003140998.tif 000010
【図９】
0003140998.tif 000011
【図１０】
0003140998.tif 000012
【図１１】
0003140998.tif 000013